(57)【要約】      （修正有）【課題】複数の住警器間での連動警報を出す場合に異常を検出している連動元の住警器が簡単に分かるようにする。【解決手段】火災などの異常検出時に連動警報を行う連動グループを構成する複数の住警器１０−１〜１０−５について、複数の住警器の各々を、他の住警器から区別可能な外観とし、各住警器の異常監視部は、他の住警器から異常を示すイベント信号を受信した時に、連動元の住警器に固有な外観を特定する異常警報の音声メッセージを出力する。住警器１０−１〜１０−５の他の住警器から区別可能な外観としては、番号数字１，２，３，４，５やＡ，Ｂ，Ｃ，Ｃ，Ｅなどの英文字、赤・黄・青といった色彩、犬、猫などの動物の絵などを施す。【選択図】図３
2009237873.tif 000002
【特許請求の範囲】
【請求項１】
イベント信号を他の警報器との間で送受信する送受信回路部と、
警報音を出力する報知部と、
所定の操作を行う操作部と、
警報器と別体または一体に設けられ、異常を検出するセンサ部からの異常検出信号を受けて、連動元としての異常警報を出力させると共に、異常を示すイベント信号を他の警報器に送信し、一方、他の警報器から異常を示すイベント信号を受信した時に連動先としての異常警報を出力させる異常監視部と、
を備えた複数の警報器により連動グループを構築した警報器システムに於いて、
前記複数の警報器の各々を、他の警報器から区別可能な外観とし、
前記各警報器の異常監視部は、他の警報器から異常を示すイベント信号を受信した時に、連動元の警報器に固有な外観を特定する異常警報を出力することを特徴とする警報器システム。
【請求項２】
請求項１記載の警報器システムに於いて、前記各警報器は、他の警報器から区別可能な外観として、各警報器に固有な文字、図形又は色彩を施したことを特徴とする警報器システム。
【請求項３】
請求項１記載の警報器システムに於いて、
前記各警報器は、前記イベント信号に含まれる送信元符号と前記警報器に固有な外観を特定する連動元情報の関係を連動元管理情報としてメモリに保持し、
前記各警報器の異常監視部は、他の警報器から異常を示すイベント信号を受信した時に、イベント信号に含まれる送信元符号により前記連動元管理情報を参照して連動元情報を取得し、取得した連動元情報を含む異常警報を出力することを特徴とする警報器システム。
【請求項４】
請求項３記載の警報器システムに於いて、更に、文字又は図形を表示可能な表示器を備え、
前記各警報器の異常監視部は、他の警報器から異常を示すイベント信号を受信した時に、イベント信号に含まれる送信元符号により前記連動元管理情報を参照して連動元情報を取得し、取得した連動元情報を前記表示器に表示することを特徴とする警報器システム。
【請求項５】
請求項１記載の警報器システムに於いて、前記各警報器は、更に、障害を検出した時に障害元として障害警報を出力させると共に、障害を示すイベント信号を他の警報器に送信し、一方、他の警報器から障害を示すイベント信号を受信した時に障害連動先として連動元の警報器に固有な外観を特定する異常警報を出力する障害監視部を備えたことを特徴とする警報器システム。
【発明の詳細な説明】
【技術分野】
【０００１】
本発明は、火災などの異常を検出して警報すると共に他の警報器に信号を無線送信して警報を連動出力させる警報器システムに関する。
【背景技術】
【０００２】
従来、住宅における火災やガス漏れなどの異常を検出して警報する住宅用警報器（以下「住警器」という）が普及しており、近年にあっては、１つの住戸に複数の住警器を設置して部屋毎に火災などの異常を監視する傾向も増加している。
【０００３】
このように住戸内に複数の住警器を設置した場合、異常が発生した部屋とは別の部屋に人がいた場合、警報音が聞こえず火災などの災害が広がる恐れがある。このため、住警器同士を有線接続し、ある住警器で火災を検出して警報した場合、他の住警器に信号を送って同時に警報させる連動警報ができるようにしている。
【０００４】
しかしながら、住警器同士を有線接続することは、有線工事が必要なためにコストが高くなる問題がある。この問題は無線式の住警器とすることで解消可能である。しかも、最近における無線回路用ＩＣの低消費電力化に伴い、他の住警器からの信号を受信可能とするために常時受信可能な動作状態としても、たとえば５年を超えるような、実用に耐える電池寿命が保証され、無線式住警器の実用化が進められている。
【特許文献１】特開２００７−０９４７１９号公報
【発明の開示】
【発明が解決しようとする課題】
【０００５】
しかしながら、住宅などに無線式の住警器を設置して連動警報ができるようにグループを構成した住警器システムにあっては、任意の住警器が発報した時にグループを構成している全ての住警器が警報音を出すため、火災を検出している連動元の住警器が分かりにくいという問題がある。
【０００６】
本発明は、複数の住警器間での連動警報を出す場合に異常を検出している連動元の住警器が簡単に分かるようにした住警器システムを提供することを目的とする。
【課題を解決するための手段】
【０００７】
本発明は無線式の住警器を使用した住警器システムを提供する。即ち本発明は、
イベント信号を他の警報器との間で送受信する送受信回路部と、
警報音を出力する報知部と、
所定の操作を行う操作部と、
警報器と別体または一体に設けられ、異常を検出するセンサ部からの異常検出信号を受けて、連動元としての異常警報を出力させると共に、異常を示すイベント信号を他の警報器に送信し、一方、他の警報器から異常を示すイベント信号を受信した時に連動先としての異常警報を出力させる異常監視部と、
を備えた複数の警報器により連動グループを構築した警報器システムに於いて、
複数の警報器の各々を、他の警報器から区別可能な外観とし、
各警報器の異常監視部は、他の警報器から異常を示すイベント信号を受信した時に、連動元の警報器に固有な外観を特定する異常警報を出力することを特徴とする。
【０００８】
ここで、各警報器は、他の警報器から区別可能な外観として、各警報器に固有な文字、図形又は色彩を施す。
【０００９】
各警報器は、イベント信号に含まれる送信元符号と記警報器に固有な外観を特定する連動元情報の関係を連動元管理情報としてメモリに保持し、
各警報器の異常監視部は、他の警報器から異常を示すイベント信号を受信した時に、イベント信号に含まれる送信元符号により連動元管理情報を参照して連動元情報を取得し、取得した連動元情報を含む異常警報を出力する。
【００１０】
警報器は、更に、文字又は図形を表示可能な表示器を備え、
各警報器の異常監視部は、他の警報器から異常を示すイベント信号を受信した時に、イベント信号に含まれる送信元符号により連動元管理情報を参照して連動元情報を取得し、取得した連動元情報を表示器に表示する。
【００１１】
各警報器は、更に、障害を検出した時に障害元として障害警報を出力させると共に、障害を示すイベント信号を他の警報器に送信し、一方、他の警報器から障害を示すイベント信号を受信した時に障害連動先として連動元の警報器に固有な外観を特定する異常警報を出力する障害監視部を備える。
【発明の効果】
【００１２】
本発明によれば、住宅の各部屋に設置される異常警報の連動関係をもつ複数の住警器につき、各住警器に固有な外観として例えば、容易に視認可能な番号数字１，２，３・・・をカバーに描くか、カバーを赤・青・黄・・・としておき、任意の住警器で火災などの異常を検出して警報したら、他の住警器における連動警報として、連動元の住警器に描かれた番号数字を特定した例えば「１番の住警器が火災です」とか、「赤の住警器が火災です」といった音声メッセージを出力させることで、火災を検出した連動元の住警器が例えば１番や赤の住警器であることが直ぐに分かり、また、１番や赤の住警器はどの部屋であるかは、日常的に把握しているため、１番や赤の住警器と聞くだけで火災などの異常が発生した部屋がどの部屋かが直感的に分かり、火災などの異常の確認を迅速に行って適切な対応が素早くできる。
【発明を実施するための最良の形態】
【００１３】
図１は本発明による無線式の住警器の外観を示した説明図であり、図１（Ａ）に正面図を、図１（Ｂ）に側面図を示している。
【００１４】
図１において、本実施形態の住警器１０はカバー１２と本体１４で構成されている。カバー１２の中央には、周囲に煙流入口を開口した検煙部１６が配置され、火災による煙が所定濃度に達したときに火災を検出するようにしている。
【００１５】
カバー１２に設けた検煙部１６の左下側には音響穴１８が設けられ、この背後にスピーカを内蔵し、警報音や音声メッセージを出力できるようにしている。検煙部１６の下側には警報停止スイッチ２０が設けられている。警報停止スイッチ２０は点検スイッチとしての機能を兼ねている。
【００１６】
警報停止スイッチ２０の内部には、点線で示すようにＬＥＤ２２が配置されており、ＬＥＤ２２が点灯すると、警報停止スイッチ２０のスイッチカバーの部分を透過してＬＥＤ２２の点灯状態が外部から分かるようにしている。
【００１７】
また本体１４の裏側上部には取付フック１３が設けられており、設置する部屋の壁にビスなどをねじ込み、このビスに取付フック１３で取り付けることで、壁面に住警器１０を設置することができる。
【００１８】
更に、本実施形態にあっては、連動グループを構成する他の住警器から区別可能な外観として、番号数字１５−１として「１」をカバー１２の右上に、容易に視認できる充分な文字サイズで標記しており、この番号数字１５−１を見て「１番の住警器」であることを認識できるようにしている。
【００１９】
なお図１の住警器１０にあっては、検煙部１６を備えた火災による煙を検出する住警器を例に取っているが、これ以外に火災による熱を検出するサーミスタを備えた住警器や、火災以外にガス漏れを検出する住警器についても、本発明の対象に含まれる。
【００２０】
図２は住宅に対する本実施形態の住警器の設置状態を示した説明図である。図２の例にあっては、住宅２４に設けられている台所、居間、主寝室、子供部屋のそれぞれに本実施形態の住警器１０−１〜１０−４が設置され、更に屋外に建てられたガレージ２６にも住警器１０−５を設置している。
【００２１】
住警器１０−１〜１０−５のそれぞれは、イベント信号を相互に無線により送受信する機能を備えており、５台の住警器１０−１〜１０−５で１つの連動グループを構成して、この住宅全体の火災監視を行っている。
【００２２】
図３は図２の住宅に設置した本実施形態の住警器１０−１〜１０−５を取り出して並べて示した説明図である。住警器１０−１〜１０−５には、他の住警器から区別可能な外観として番号数字１５−１〜１５−５として「１」、「２」、「３」、「４」、「５」が標記され、居住者は番号数字１５−１〜１５−５を日常的に見ていることで、１番は台所、２番は居間、３番は主寝室、４番は子供部屋、５番はガレージと認識している。
図２において、いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として動作し、連動先となる他の住警器１０−１〜１０−３，１０−５に対し、火災発報を示すイベント信号を無線により送信する。他の住警器１０−１〜１０−３，１０−５にあっては、連動元の住警器１０−４からの火災発報を示すイベント信号を受信すると、連動先としての警報動作を行う。
【００２３】
ここで連動元となった住警器１０−４の警報音としては、例えば音声メッセージにより「ウーウー  住警器が作動しました  確認してください」を連続して出力する。一方、連動先の住警器１０−１〜１０−３，１０−５にあっては、「ウーウー  １番の住警器が作動しました  確認してください」といった音声メッセージを連続して出力する。この連動先の音声メッセージを聞き、火災を検出した住警器が１番ということで、直感的に場所は台所と分かり、直ぐに台所を確認して迅速且つ確実に対応できる。
【００２４】
住警器１０−１〜１０−５が警報音を出している状態で、図１に示した住警器に設けている警報停止スイッチ２０を操作すると、警報音の停止処理が行われる。
【００２５】
また住警器１０−１〜１０−５は障害監視機能を備えおり、ローバッテリーなどの障害を検知すると、例えば「ピッ」といった警報音を例えば１分置きに間欠的に出力し、障害が発生したことを報知する。また障害を検出した障害元の住警器は、他の住警器に障害発生を示すイベント信号を無線送信し、他の住警器においても同じ障害警報が出力される。この結果、任意の住警器で障害が検出されると、グループを構成している全ての住警器から障害警報が出力される。
【００２６】
更に、本実施形態の住警器にあっては、障害警報中に警報停止スイッチを操作すると、「１番の住警器がローバッテリー障害です  電池を交換してください」といった障害元を示す音声メッセージが出力される。
【００２７】
図４は本発明による住警器の実施形態を示したブロック図である。図４は図３に示した５台の住警器１０−１〜１０−５につき、その内の住警器１０−１について回路構成を詳細に示している。
【００２８】
住警器１０−１はＣＰＵ２８を備え、ＣＰＵ２８に対してはアンテナ３１を備えた無線回路部３０、記録回路部３２、センサ部３４、報知部３６、操作部３８及び電池電源４０を設けている。
【００２９】
無線回路部３０には送信回路４２と受信回路４４が設けられ、他の住警器１０−２〜１０−５との間でイベント信号を無線により送受信できるようにしている。無線回路部３０としては、日本国内の場合には例えば４００ＭＨｚ帯の特定小電力無線局の標準規格として知られたＳＴＤ−３０（小電力セキュリティシステムの無線局の無線設備の標準規格）またはＳＴＤ−Ｔ６７特定小電力無線局テレメータ用、テレコントロール用及びデータ伝送用無線設備の標準規格）に準拠した構成を備える。
【００３０】
もちろん無線回路部３０としては、日本国内以外の場所については、その地域の割当無線局の標準規格に準拠した内容を持つことになる。
【００３１】
記録回路部３２にはメモリ４６が設けられている。メモリ４６には住警器を特定するＩＤ（識別子）となる送信元符号５０、図２のように複数の住警器で連動警報を行うグループを構成するためのグループ符号５２、更に連動テーブル５６が格納されている。
【００３２】
送信元符号５０としては、国内に提供される住警器の数を予測し、例えば同一符号として重複しないように例えば３２ビットの符号コードが使用される。
【００３３】
グループ符号５２はグループを構成する複数の住警器に共通に設定される符号であり、無線回路部３０で受信した他の住警器からのイベント信号に含まれるグループ符号がメモリ４６に登録しているグループ符号５２に一致したときに、このイベント信号を有効な信号として受信して処理することになる。
【００３４】
なお本実施形態にあっては、記録回路部３２にメモリ４６を使用しているが、メモリ４６の代わりにディップスイッチを設け、ディップスイッチにより送信元符号５０やグループ符号５２を設定するようにしてもよい。送信元符号５０やグループ符号５２の符号長（ビット数）が少ない場合には、ディップスイッチを用いた記録回路部３２が望ましい。
【００３５】
連動テーブル５６には、連動グループを構成する住警器１０−１〜１０−５について、各住警器に固有な送信元符号と、各住警器に固有な外観を特定する連動元情報の関係（ペア）が格納されている。
【００３６】
図５は連動テーブル５６の詳細を示したおり、送信元符号として、住警器１０−１〜１０−５に固有な１６進０ｘで例えば０００００００Ａ，０００００００Ｂ，０００００００Ｃ，０００００００Ｄ，０００００００Ｅが登録される。また連動元情報としては、図３に示したように、住警器１０−１〜１０−５には番号数字１５−１〜１５−５が標記されていることから、１０進数で「１」、「２」、「３」、「４」、「５」が格納されている。
【００３７】
再び図４を参照するに、センサ部３４には、本実施形態にあっては検煙部１６が設けられている。センサ部３４には検煙部１６以外に、火災による温度を検出するサーミスタを設けてもよい。またガス漏れ監視用の住警器の場合には、センサ部３４にガス漏れセンサが設けられることになる。
【００３８】
報知部３６にはスピーカ５８とＬＥＤ２２が設けられている。スピーカ５８は、図示しない音声合成回路部からの音声メッセージや警報音を出力する。ＬＥＤ２２は点滅や明滅、点灯などにより、火災などの異常や障害などを表示する。
【００３９】
操作部３８には警報停止スイッチ２０が設けられている。監視中に警報停止スイッチ２０を操作すると、点検スイッチとして機能し、住警器１０−１が正常であれば、火災発報時に対し低い音量で「ウーウー  火災警報器が作動しました  確認してください」とする音声メッセージを１回出力する。また火災などの警報中に警報停止スイッチ２０を操作すると、住警器１０−１から流している警報音を停止することができる。
【００４０】
電池電源４０は、例えば所定セル数のアルカリ乾電池を使用しており、電池容量としては住警器１０−１における無線回路部３０を含む回路部全体の低消費電力化により、約１０年の電池寿命を保証している。
【００４１】
ＣＰＵ２８にはプログラムの実行により実現される機能として、異常監視部６０及び障害監視部６２が設けられている。
【００４２】
異常監視部６０は、センサ部３４に設けた検煙部１６で火災を検出したときに、報知部３６のスピーカ５８から連動元を示す警報音例えば「ウーウー  火災警報器が作動しました  確認してください」を繰り返し出力させると共に、火災発報を示すイベント信号を無線回路部３０の送信回路４２によりアンテナ３１から他の住警器１０−２〜１０−５に向けて送信させる。
【００４３】
ここで、イベント信号は図６に示すフォーマットとなっている。図６において、イベント信号４８は送信元符号５０、グループ符号５２及びイベント符号５４で構成されている。送信元符号５０は例えば３２ビットの符号である。またグループ符号５２は例えば８ビットの符号であり、同一グループを構成する例えば図３の５台の住警器１０−１〜１０−５につき同じグループ符号が設定されている。
【００４４】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００４５】
イベント符号５４は、火災、ガス漏れなどの異常や障害といったイベント内容を表す符号であり、本実施形態にあっては２ビット符号を使用しており、例えば「０１」で火災、「１０」でガス漏れ、「１１」で障害としている。なおイベント符号５４のビット数は、イベントの種類が増加したときには更に３ビット、４ビットと増加させることで、複数種類のイベント内容を表すことができる。
【００４６】
再び図４を参照するに、異常監視部６０は、他の住警器１０−２〜１０−５のいずれかから火災発報を示すイベント信号を無線回路部３０の受信回路４４により受信したときに、イベント信号に含まれる送信元符号により図５に示した連動テーブル５６を参照して対応する連動元情報を取得し、報知部３６のスピーカ５８から連動元を示す警報音例えば「ウーウー  １番の住警器が作動しました  確認してください」となる音声メッセージを連続的に出力させる。
【００４７】
ここで、異常監視部６０で火災発報を検出して連動元警報音を出すときには、報知部３６のＬＥＤ２２を例えば明滅させ、一方、連動先警報音を出す場合には、報知部３６のＬＥＤ２２を点滅させる。これによって、連動元警報と連動先警報におけるＬＥＤ２２の表示を区別できるようにしている。もちろん、連動元警報と連動先警報のいずれについても、同じＬＥＤ２２の明滅または点滅表示であっても良い。
【００４８】
障害監視部６２は、電池電源４０の電圧低下によるローバッテリーを障害として検出した時に、例えば１分に１回、「ピッ」といった短いローバッテリー警報音を出すことにより障害警報音を出力させる。この場合、障害を示すイベント信号を他の住警器１０−２〜１０−５に送信し、ローバッテリー障害についても連動警報を可能とする。
【００４９】
このため障害監視部６２は、他の住警器１０−２〜１０−５のいずれかから火災発報を示すイベント信号を無線回路部３０の受信回路４４により受信したときに、イベント信号に含まれる送信元符号により図５に示した連動テーブル５６を参照して対応する連動元情報を取得する。
【００５０】
障害の連動警報は、最初は連動元と同じく例えば１分に１回、「ピッ」といった短いローバッテリー警報音を出しているが、この状態で警報停止スイッチ２０を操作すると、報知部３６のスピーカ５８から障害元を示す警報音例えば「１番の住警器がローバッテリーです  電池を交換してくだい」と言った音声メッセージを１回に出力させる。
【００５１】
このような住警器１０−１の回路構成及び機能は他の住警器１０−２〜１０−５についても同様であり、メモリ４６に格納している送信元符号５０が各住警器固有の符号となっている。
【００５２】
図７は本実施形態による基本処理を示したフローチャートである。図７において、住警器に内蔵している電池電源を有効として電源を投入すると、ステップＳ１で初期化処理が実行される。この初期化処理には図２のように住警器１０−１〜１０−５によりグループを構成するためのグループ設定処理が含まれ、例えばグループを構成する住警器１０−１〜１０−５のメモリ４６に、同じグループ符号５２を設定する。このグループ設定は、工場段階で行っても良いし、ユーザ側で行ってもよい。
【００５３】
続いてステップＳ２で火災監視処理を実行し、またステップＳ３で火災監視処理を実行し、これを繰り返す。
【００５４】
図８は図７のステップＳ２における火災監視処理の詳細を示したフローチャートである。図８において、まずステップＳ４でセンサ部３４に設けた検煙部１６による火災発報の有無を判別しており、火災発報を判別するとステップＳ５に進み、火災発報を示すイベント信号を他の住警器に送信する。続いてステップＳ６で連動元の火災警報として「ウーウー  住警器が作動しました  確認してください」を繰り返し出力させる。同時にＬＥＤ２２を明滅させる。
【００５５】
火災警報の出力中にステップＳ７で警報停止スイッチ２０の操作を判別すると、ステップＳ８に進んで警報を停止する。この警報停止は、検煙部１６に煙が残っている場合は、所定時間後、例えば１４分後に再び警報出力を行う。
【００５６】
一方、ステップＳ４で火災発報の判別がない場合はステップＳ９に進み、他の住警器から火災発報を示すイベント信号を受信したか否か判別し、イベント信号の受信を判別した場合はステップＳ１０に進み、イベント信号に含まれる送信元符号により連動テーブル５６を参照して連動先情報を取得し、ステップＳ１１で連動先の火災警報として例えば「ウーウー  ２番の住警器が作動しました  確認してください」を繰り返し出力させる。この場合にも、ステップＳ７で警報停止操作を判別するとステップＳ８で連動先警報を停止させる。
【００５７】
図９は図７のステップＳ３における障害監視処理の詳細を示したフローチャートである。図９において、まずステップＳ１２で例えばローバッテリー障害が検出されたとすると、ステップＳ１３に進み、ローバッテリー障害を示すイベント信号を他の住警器に送信する。続いてステップＳ１４で障害警報として例えば１分間に１回、「ピッ」といった短い警報音を出力する。
【００５８】
障害警報の出力中にステップＳ１５で警報停止スイッチ２０の操作を判別すると、ステップＳ１６に進み、「ローバッテリーが検出されました  電池を交換してください」といった音声メッセージを出力して障害警報を停止する。
【００５９】
一方、ステップＳ１２で障害検出がない場合はステップＳ１７に進み、他の住警器から障害を示すイベント信号を受信したか否か判別し、イベント信号の受信を判別した場合はステップＳ１８に進み、イベント信号に含まれる送信元符号により連動テーブル５６を参照して連動先情報を取得し、続いてステップＳ１９で障害元と同様に１分間に１回、「ピッ」といった短い警報音を出力する連動先での障害警報を出力する。
【００６０】
この障害警報の出力中にステップＳ２０で警報停止スイッチ２０の操作を判別するとステップＳ２１に進み、障害元を示す例えば「２番の住警器がローバッテリーです  電池を交換してください」といった音声メッセージを出力して障害警報を停止する。
【００６１】
図１０は連動グループを構成する異なる番号数字を標記すると共に表示器を備えた本実施形態の住警器セットを並べて示した説明図である。図１０の実施形態にあっては、図３の実施形態と同様に、住警器１０−１〜１０−５は他の住警器から区別可能な外観として番号数字１５−１〜１５−５を標記しているが、これに加えてカバー上部に例えば７セグメントＬＥＤ、液晶表示器、有機ＥＬ等の連動元を特定できる表示手段によって構成される表示部６４を新たに設けている。表示部６４は図４の住警器１０−１における報知部３６の機能として追加されており、他の住警器から火災を示すイベント信号を受信した際に、連動テーブル４６から取得した連動元を示す住警器番号を表示するようにしている。
【００６２】
図１０における表示部６４の表示状態は、住警器１０−１で火災発報となった場合であり、他の住警器１０−２〜１０−５の表示部６４には、連動元を示す感知器番号として「１」が表示されている。
【００６３】
この表示部６４による表示は障害監視の場合も同様であり、例えば住警器１０−１でローバッテリー障害が検出されると、連動先の住警器１０−２〜１０−５の表示部６４に障害元を示す「１」が表示される。
【００６４】
なお、図１０にあっては、連動元についても同じ番号を表示しており、番号一致により連動元であることが分かる。また、表示部６４を設けた連動元又は障害元を表示する場合には、音声メッセージによる連動元又は障害元の特定は行わないようにしても良いし、併用するようにしても良い。
【００６５】
図１１は連動グループを構成する住警器に異なる英文字を標記した本実施形態の住警器セットを並べて示した説明図である。図１１の実施形態にあっては、住警器１０−１〜１０−５は他の住警器から区別可能な外観として英文字６６−１〜６６−５として、「Ａ」、「Ｂ」、「Ｃ」、「Ｄ」、「Ｅ」を標記している。
【００６６】
このため例えば住警器１０−１で火災発報が判別されると、他の住警器１０−２〜１０−５において「ウーウー  住警器Ａが作動しました  確認してください」といった音声メッセージが出力される。ローバッテリー障害の場合も同様であり、「住警器Ａがローバッテリーです  電池を交換してください」といった音声メッセージを出力する。
【００６７】
図１２は連動グループを構成する住警器に異なる色彩を施した本実施形態の住警器セットを並べて示した説明図である。図１２の実施形態にあっては、住警器１０−１〜１０−５は他の住警器から区別可能な外観として白カバー１２−１、赤カバー１２−２、緑カバー１２−３、黄カバー１２−４及び青カバー１２−５を設けている。
【００６８】
このため例えば住警器１０−１で火災発報が判別されると、他の住警器１０−２〜１０−５において「ウーウー  白の住警器が作動しました  確認してください」といった音声メッセージが出力される。ローバッテリー障害の場合も同様であり、「白の住警器がローバッテリーです  電池を交換してください」といった音声メッセージを出力する。
【００６９】
図１３は連動グループを構成する住警器に異なる動物マークを施した本実施形態の住警器セットを並べて示した説明図である。図１３の実施形態にあっては、住警器１０−１〜１０−５は他の住警器から区別可能な外観として犬マーク６８−１、猫マーク６８−２、象マーク６８−３、クママーク６８−４及びパンダマーク６８−５を設けている。
【００７０】
このため例えば住警器１０−１で火災発報が判別されると、他の住警器１０−２〜１０−５において「ウーウー  犬の住警器が作動しました  確認してください」といった音声メッセージが出力される。ローバッテリー障害の場合も同様であり、「犬の住警器がローバッテリーです  電池を交換してください」といった音声メッセージを出力する。
【００７１】
なお、図１１乃至図１３の実施形態についても図１０の実施形態と同様に表示部６４を設け、連動元又は障害元の英文字、色彩、動物マークを表示するようにしても良い。
【００７２】
また、本実施形態における各住警器を他の住警器から区別可能な外観としては、番号数字、英文字、色彩、動物マーク以外に適宜の区別可能な形態を含む。
【００７３】
また上記の実施形態は異常として火災を検出する住警器を例に取るものであったが、これ以外にガス漏れ警報器や防犯用警報器など、それ以外の異常を検出する警報器にそのまま適用することができる。また住宅用に限らずビルやオフィス用など各種用途の警報器にも適用できる。
【００７４】
また、上記の実施形態は警報器にセンサ部と警報出力処理部を一体に設けた場合を例にとるが、他の実施形態として、センサ部と警報出力処理部を別体とした警報器であっても良い。
【００７５】
また本発明は上記の実施形態に限定されず、その目的と利点を損なうことのない適宜の変形を含み、更に上記の実施形態に示した数値による限定は受けない。
【図面の簡単な説明】
【００７６】
【図１】本発明による住警器の外観を示した説明図
【図２】住宅に対する住警器の設置状態を示した説明図
【図３】連動グループを構成する異なる番号数字を標記した住警器セットを並べて示した説明図
【図４】本発明による住警器の実施形態を示したブロック図
【図５】本実施形態で使用するイベント信号のフォーマットを示した説明図
【図６】図４の実施形態の住警器に設けた連動テーブルの説明図
【図７】本実施形態による基本処理を示したフローチャート
【図８】図７のステップＳ２における火災監視処理の詳細を示したフローチャート
【図９】図７のステップＳ３における障害処理の詳細を示したフローチャート
【図１０】連動グループを構成する異なる番号数字を標記すると共に表示器を備えた住警器セットを並べて示した説明図
【図１１】連動グループを構成する異なる英文字を標記した住警器セットを並べて示した説明図
【図１２】連動グループを構成する異なるカバー色彩を施した住警器セットを並べて示した説明図
【図１３】連動グループを構成する異なる動物マークを標記した住警器セットを並べて示した説明図
【符号の説明】
【００７７】
１０，１０−１〜１０−５：住警器
１２：カバー
１２−１：白カバー
１２−２：赤カバー
１２−３：緑カバー
１２−４：黄カバー
１２−５：青カバー
１３：取付フック
１４：本体
１５−１〜１５−５：番号数字
１６：検煙部
１８：音響孔
２０：警報停止スイッチ
２２：ＬＥＤ
２４：住宅
２６：ガレージ
２８：ＣＰＵ
３０：無線回路部
３１：アンテナ
３２：記録回路部
３４：センサ部
３６：報知部
３８：操作部
４０：電池電源
４２：送信回路
４４：受信回路
４５：電波強度測定部
４６：メモリ
４８：イベント信号
５０：送信元符号
５２：グループ符号
５４：イベント符号
５６：連動テーブル
５８：スピーカ
６０：異常監視部
６２：障害監視部
６４：表示部
６６−１〜６６−５：英文字マーク
６８−１：犬マーク
６８−２：猫マーク
６８−３：象マーク
６８−４：クママーク
６８−５：パンダマーク
【図１】
2009237873.tif 000003
【図２】
2009237873.tif 000004
【図３】
2009237873.tif 000005
【図４】
2009237873.tif 000006
【図５】
2009237873.tif 000007
【図６】
2009237873.tif 000008
【図７】
2009237873.tif 000009
【図８】
2009237873.tif 000010
【図９】
2009237873.tif 000011
【図１０】
2009237873.tif 000012
【図１１】
2009237873.tif 000013
【図１２】
2009237873.tif 000014
【図１３】
2009237873.tif 000015